(57)【要約】【課題】ＰＤＰ装置などの多階調の動画像の表示駆動制御に係わり、誤差拡散処理による繰り返しパターン（固定模様）等の表示出力に対処して、表示品質を向上できる技術を提供する。【解決手段】本動画像表示方法及びＰＤＰ装置では、表示データ（画像フレーム及びその画素のデータ）に対する誤差拡散処理の開始位置（Ｓ２）及び順序を、画像フレーム（ｆｎ〜ｆｎ＋３）毎に切り替える制御を行う。例えば４つのフレーム（ｆｎ〜ｆｎ＋３）の状態を循環的に切り替える。【選択図】図８
2008175843.tif 000002
【特許請求の範囲】
【請求項１】
入力動画像信号データをもとに、表示パネルの画素群による表示領域に対して、多階調の動画像を表示する動画像表示方法であって、
前記入力動画像信号データの画像フレーム群に対する誤差拡散処理において、前記画像フレームの画素データ群に対する前記誤差拡散処理の空間的な開始位置及び順序を、前記画像フレーム毎に切り替えることを特徴とする動画像表示方法。
【請求項２】
請求項１記載の動画像表示方法において、
前記切り替えの状態において、
第１の状態として、前記開始位置は、前記表示領域の左上の画素であり、前記順序は、水平方向で左から右方向へ、垂直方向で上から下方向へ、ライン順次で移動するものあり、
第２の状態として、前記開始位置は、前記表示領域の右下の画素であり、前記順序は、水平方向で右から左方向へ、垂直方向で下から上方向へ、ライン順次で移動するものあり、
第３の状態として、前記開始位置は、前記表示領域の右上の画素であり、前記順序は、水平方向で右から左方向へ、垂直方向で上から下方向へ、ライン順次で移動するものあり、
第４の状態として、前記開始位置は、前記表示領域の左下の画素であり、前記順序は、水平方向で左から右方向へ、垂直方向で上から下方向へ、ライン順次で移動するものあり、
前記第１〜第４の４種類の状態を循環的に切り替えることを特徴とする動画像表示方法。
【請求項３】
請求項２記載の動画像表示方法において、
前記４種類の状態のうちいずれか３種類の状態を循環的に切り替えることを特徴とする動画像表示方法。
【請求項４】
請求項２記載の動画像表示方法において、
前記４種類の状態のうちいずれか２種類の状態を循環的に切り替えることを特徴とする動画像表示方法。
【請求項５】
入力動画像信号データをもとに、プラズマディスプレイパネルの画素群による表示領域に対して、多階調の動画像を表示する駆動制御処理を行う回路部を備えるプラズマディスプレイ装置であって、
前記回路部は、前記入力動画像信号データの画像フレーム群に対する誤差拡散処理において、前記画像フレームの画素データ群に対する前記誤差拡散処理の空間的な開始位置及び順序を、前記画像フレーム毎に切り替えることを特徴とするプラズマディスプレイ装置。
【請求項６】
請求項５記載のプラズマディスプレイ装置において、
前記切り替えの状態において、
第１の状態として、前記開始位置は、前記表示領域の左上の画素であり、前記順序は、水平方向で左から右方向へ、垂直方向で上から下方向へ、ライン順次で移動するものあり、
第２の状態として、前記開始位置は、前記表示領域の右下の画素であり、前記順序は、水平方向で右から左方向へ、垂直方向で下から上方向へ、ライン順次で移動するものあり、
第３の状態として、前記開始位置は、前記表示領域の右上の画素であり、前記順序は、水平方向で右から左方向へ、垂直方向で上から下方向へ、ライン順次で移動するものあり、
第４の状態として、前記開始位置は、前記表示領域の左下の画素であり、前記順序は、水平方向で左から右方向へ、垂直方向で上から下方向へ、ライン順次で移動するものあり、
前記第１〜第４の４種類の状態を循環的に切り替えることを特徴とするプラズマディスプレイ装置。
【請求項７】
請求項６記載のプラズマディスプレイ装置において、
前記４種類の状態のうちいずれか３種類の状態を循環的に切り替えることを特徴とするプラズマディスプレイ装置。
【請求項８】
請求項６記載のプラズマディスプレイ装置において、
前記４種類の状態のうちいずれか２種類の状態を循環的に切り替えることを特徴とするプラズマディスプレイ装置。
【請求項９】
請求項５記載のプラズマディスプレイ装置において、
前記誤差拡散処理は、
対象画素の画素データを上位ビットと下位ビットに分離してその下位ビットを誤差データとする処理と、
複数の隣接画素の伝達誤差データに隣接画素重み付け係数を乗算して重み付け伝達誤差データを出力する処理と、
前記対象画素の誤差データと複数の前記重み付け伝達誤差データを加算して、その加算値及び桁上がり値を出力する処理と、
前記対象画素の上位ビットの画素データと前記桁上がり値を加算して出力画素データとする処理と、を有することを特徴とするプラズマディスプレイ装置。
【請求項１０】
請求項５記載のプラズマディスプレイ装置において、
前記回路部は、記憶部に格納される前記画像フレームデータを読み出して前記誤差拡散処理を行う部位へ入力する際に、前記誤差拡散処理の開始位置及び順序の切り替えに合わせて、前記読み出しの開始位置及び順序を制御することを特徴とするプラズマディスプレイ装置。
【発明の詳細な説明】
【技術分野】
【０００１】
本発明は、プラズマディスプレイパネル（ＰＤＰ）駆動方法及びその表示装置（プラズマディスプレイ装置：ＰＤＰ装置）などの多階調の動画像表示処理に関し、特に、誤差拡散処理に関する。
【背景技術】
【０００２】
従来のＰＤＰ装置では、サブフィールド法（フレーム時分割表示方法）及び誤差拡散処理を用いて、表示パネル（ＰＤＰ）の画素群の表示領域（画面）に対して、多階調表現した動画像を表示している。
【０００３】
誤差拡散処理回路を有するＰＤＰ装置について、例えば特開２００３−２７１０９１号公報（特許文献１）に記載されている。誤差拡散処理回路は、ｍビットの画素データ中の下位ｉビット分を誤差データ、上位（ｍ−ｉ）ビット分を表示データとして分離し、その誤差データを隣接画素に拡散させる処理を行う。
【特許文献１】特開２００３−２７１０９１号公報
【発明の開示】
【発明が解決しようとする課題】
【０００４】
前記ＰＤＰ装置などにおける誤差拡散処理回路は、広範囲の同一階調領域が存在する入力データを処理（誤差拡散処理）した場合、その階調値によっては、規則性を有する繰り返しパターン等が出力データに発生する。これが表示パネルに出力表示された時、視者（ユーザ）には、本来存在する筈の無い固定模様として目に付く。これにより表示品質を低下させている。
【０００５】
図１５は、上記現象の一例として、ＰＤＰ装置において、画面全体の領域に任意の同一階調（：ｎとする）を表示した場合に、誤差拡散処理により発生した、規則性を有する繰り返しパターンの表示出力を示している。ここで、ｎは、ＰＤＰ装置が具備・対応する実階調（サブフィールド変換パターンで直接に表現できるステップ）では表示できない階調値（中間階調）である。このｎは、ｎよりも小さい値で最も近い実階調値（：ｍとする）と、ｎよりも大きい値で最も近い実階調値（：ｍ＋１）によって、誤差拡散処理により表現される。図１５の画像における黒い箇所はｍ、白い箇所はｍ＋１を示している。図１５の例では、階調ｍの点灯ドット（画素）が、画面中心より右上部で、等間隔に並んでいる模様として表れている。
【０００６】
また、図１６は、同様に、画面全体の領域に他の任意の同一階調（ｎ）を表示した場合であり、階調ｍとｍ＋１が、画面の左端部と上部で、縦線（ストライプ）の模様として表れている。
【０００７】
なお、上記のような繰り返しパターン（固定模様）は、特定の階調値（ｎ）により必ず発生する訳ではなく、ハードウェア構成など、例えば誤差拡散処理回路内で扱うデータビット数などにより、発生する階調値（ｎ）が異なってくる。
【０００８】
本発明は以上のような問題に鑑みてなされたものであり、その目的は、ＰＤＰ装置などの多階調の動画像の表示駆動制御に係わり、誤差拡散処理による繰り返しパターン（固定模様）等の表示出力に対処して、表示品質を向上できる技術を提供することである。
【課題を解決するための手段】
【０００９】
本願において開示される発明のうち、代表的なものの概要を簡単に説明すれば、次のとおりである。前記目的を達成するために、本発明は、動画像表示方法（ＰＤＰ駆動表示方法、誤差拡散処理方法など）であって、以下に示す技術的手段を備えることを特徴とする。
【００１０】
本動画像表示方法及びＰＤＰ装置では、表示データ（画像フレーム及びその画素のデータ）に対する誤差拡散処理の開始位置及び順序を、画像フレーム（それに対応付けられるフィールドなど）毎に、切り替える制御を行う。
【００１１】
上記構成により、視者（ユーザ）には、表示パネル（ＰＤＰ）の表示領域（画面）で、規則性を有する繰り返しパターン（固定模様）等が発生しているようには視認されない。換言すれば、ユーザが時間的に連続する複数のフレームを合成して見ることにより、フレームの部分領域などで前述した繰り返しパターン（固定模様）等が発生していたとしても、規則性が低いパターン領域との相殺効果によって、視認上の表示品質低下が抑制・解消されることになる。
【００１２】
本動画像表示方法及びＰＤＰ装置は、例えば以下の構成である。本方法及びＰＤＰ装置は、入力動画像信号データをもとに、表示パネルの画素群による表示領域に対して、多階調の動画像を表示するものであって、入力動画像信号データの画像フレーム群に対する誤差拡散処理において、画像フレームの画素データ（表示データ）群に対する誤差拡散処理の空間的な（即ち画像フレーム内の）開始位置及び順序（方向）を、時間方向で画像フレーム毎に（即ち画像フレーム単位で）変化するように切り替える。特に、前記開始位置は、画像フレームの四隅のいずれかであり、前記順序は、前記開始位置から対角側の隅へ向かって処理するものである。前記切り替えの状態（場合）において、第１の状態として、開始位置は、表示領域の左上（例えば最上段の最左端）の画素であり、順序は、水平（横、行）方向で左（左端）から右（右端）方向へ、垂直（縦、列）方向で上から下方向へ、ライン順次で移動するものあり（なおライン順次以外も可能である）、第２の状態として、開始位置は、表示領域の右下（例えば最下段の最右端）の画素であり、順序は、水平方向で右から左方向へ、垂直方向で下から上方向へ、ライン順次で移動するものあり、第３の状態として、開始位置は、表示領域の右上（例えば最上段の最右端）の画素であり、順序は、水平方向で右から左方向へ、垂直方向で上から下方向へ、ライン順次で移動するものあり、第４の状態として、開始位置は、表示領域の左下（例えば最下段の最左端）の画素であり、順序は、水平方向で左から右方向へ、垂直方向で上から下方向へ、ライン順次で移動するものあり、第１〜第４の４種類の状態を循環的に切り替える（繰り返す）。
【発明の効果】
【００１３】
本願において開示される発明のうち、代表的なものによって得られる効果を簡単に説明すれば以下のとおりである。本発明によれば、ＰＤＰ装置などの多階調の動画像の表示駆動制御に係わり、誤差拡散処理による繰り返しパターン（固定模様）等の表示出力に対処して、表示品質を向上できる。
【発明を実施するための最良の形態】
【００１４】
以下、本発明の実施の形態を図面に基づいて詳細に説明する。なお、実施の形態を説明するための全図において、同一部には原則として同一符号を付し、その繰り返しの説明は省略する。なお、サブフィールドをＳＦと略称する。
【００１５】
図１〜図１２等を用いて、本発明の一実施の形態のＰＤＰ装置を説明する。本実施の形態のＰＤＰ装置では、概要として、誤差拡散処理に係わる４種類の状態を画像フレーム毎に切り替えるものである（特に図７，図８）。まず、本実施の形態のＰＤＰ装置１の基本構成を説明する。
【００１６】
＜ＰＤＰ装置＞
図１において、本ＰＤＰ装置１は、制御回路部２、駆動回路部３、及びＰＤＰ４を有する。制御回路部２は、タイミング生成部５、表示データ処理部（多階調化処理部）６などを備える。ＰＤＰ４は、画素（Ｐ）に対応付けられる表示セル（セル：Ｃ）の行列が構成された、例えば三電極・交流駆動型のパネルである。ＰＤＰ４は、電極群として、例えば、Ｘ（維持）電極２１、Ｙ（維持・走査）電極２２、Ａ（アドレス）電極２３を備える。駆動回路部３は、ＰＤＰ４の電極群（２１，２２，２３）に対応する各種ドライバとして、Ｘドライバ３−１、Ｙドライバ３−２、Ａ（アドレス）ドライバ３−３等を有する。
【００１７】
制御回路部２は、駆動回路部３を含む装置全体を制御する。駆動回路部３（３−１，３−２，３−３）は、制御回路部２の出力に従って、ＰＤＰ４の電極群を、電圧波形を含む駆動シーケンスの印加により駆動し、これにより、ＰＤＰ４の表示領域に、動画像（フィールド）を表示する。
【００１８】
ＰＤＰ４において、表示電極であるＸ電極２１及びＹ電極２２が、水平方向（第１方向）に並列に伸び、垂直方向（第２方向）に交互に配置され、それらの隣接する対で表示の行を構成する。また、アドレス電極２３が垂直方向（第２方向）に伸び、表示の列を構成する。Ｙ電極２２とアドレス電極２３の交差及び対応するＸ電極２１による領域は、表示セル（セル：Ｃ）に対応付けられる。特にＲ，Ｇ，Ｂのセル（Ｃ）のセットが画素（Ｐ）に対応付けられる。ＰＤＰ４におけるセル（Ｃ）／画素（Ｐ）の行列により構成される表示領域が、時間方向を含む表示単位であるフィールド及びＳＦに対応付けられる。フィールドのＳＦ群により多階調表現した画素及び画像を表示でき、フィールド群により動画像を表示できる。
【００１９】
制御回路部２は、映像信号（入力映像信号または画像信号）Ｖ、水平同期信号ＨＳ、垂直同期信号ＶＳ、クロック信号ＣＬＫなどを入力する。映像信号Ｖは、例えばＲ，Ｇ，Ｂの色毎の２次元画像フレーム群の信号である。タイミング生成部５は、ＨＳ，ＶＳ，ＣＬＫ等の同期信号を入力し、表示データ処理部６、駆動回路部３等の各部を制御するために必要なタイミング信号を生成及び出力する。
【００２０】
表示データ処理部６では、映像信号Ｖを入力し、ＰＤＰ４での多階調の動画像の表示のために必要な、ＳＦ変換処理を含む信号処理（多階調化処理）を行う。表示データ処理部６は、映像信号Ｖにおける画像フレームの画素データ群を入力し、その画像フレームデータをＳＦ変換したデータ（フィールド及びＳＦデータ）を生成及び出力する。制御回路部２は、内部のフィールドメモリ等に、処理前後のデータ、即ち画像フレームデータやフィールド及びＳＦデータ（駆動制御信号）等を格納する。表示データ処理部６から駆動回路部３へは、フィールド及びＳＦ毎にデータを順次出力する。また、駆動回路部３は、入力のＳＦデータ及びタイミング信号に応じて、電圧波形を含む駆動シーケンスを選択して、ＰＤＰ４の対応する電極へ出力する。
【００２１】
表示データ処理部６は、例えば入力の１０ビットの画素データをもとに、ガンマ変換処理等を行い、例えば１６ビットの画素データを生成する。ＰＤＰ４は、例えば８ビットの画素データ（２５６階調）を表示可能であるとする。表示データ処理部６内の誤差拡散処理部１０６及びＳＦデータ変換部１０７は、その１６ビットの画素データを、ＰＤＰ４駆動出力に合わせて、８ビットの画素データに階調変換する。
【００２２】
＜ＰＤＰ＞
図２において、ＰＤＰ４のパネル構造例（三電極、ストライプ状リブの場合）を説明する。ＰＤＰ４における画素（Ｐ）、即ちＲ，Ｇ，Ｂのセル（Ｃｒ，Ｃｇ，Ｃｂ）のセットに対応した一部分を示している。本ＰＤＰ４は、主に発光ガラスで構成される前面基板１１及び背面基板１２の構造体（前面部２０１、背面部２０２）が対向して組み合わされ、その周囲部が封止され、その空間（放電空間）に放電ガスが封入されることにより構成される。
【００２３】
前面部２０１において、前面基板１１上には、維持放電を行うための複数のＸ電極２１及びＹ電極２２が、第１方向に形成されている。これらの表示電極群は、放電空間に対し絶縁するための誘電体層１３、及び更にその表面が保護層１４により覆われている。背面部２０２において、背面基板１２上には、複数のアドレス電極２３が第２方向に形成されており、更に誘電体層１６に覆われている。誘電体層１６上、アドレス電極２３の両側には、第２方向に伸びる隔壁１７が形成されており、放電空間を列方向に区分けしている。更に、誘電体層１６上、隔壁１７間には、紫外線により励起されて赤（Ｒ），緑（Ｇ），青（Ｂ）の各色の可視光を発生する蛍光体１８が色別に塗布されている。Ｘ電極２１とＹ電極２２の間（放電ギャップ）の維持放電によって、蛍光体１８が励起され、各色が発光する。ＰＤＰは、駆動方式などに応じて各種構造が存在する。
【００２４】
＜フィールド構成＞
図３において、ＰＤＰ４のフィールド及びＳＦの構成を示している。１画像フレームは、１フィールド（Ｆ）５０に対応付けられる（ノーマル構成の場合）。１フィールド（Ｆ）５０は例えば１／６０秒で表示される。１フィールド（Ｆ）５０は、複数（ｍ）のＳＦ６０、即ち、第１のＳＦ（ＳＦ１）〜第ｍのＳＦ（ＳＦｍ）により構成される。ｍは、例えば１０であり、階調ビット数に相当する。各ＳＦ６０は、明るさ（発光時間）に関する所定の重み付けが与えられており、それらの選択状態により、画素の階調を表現できる。
【００２５】
各ＳＦ６０は、例えば、順に、リセット期間７１、アドレス期間７２、及びサステイン期間７３により構成される。リセット期間７１では、セル（Ｃ）の電荷状態の初期化を行う。アドレス期間７２では、アドレス電極２３とＹ電極２２の間のアドレス放電により、セル（Ｃ）の発光（オン）／非発光（オフ）を選択する。具体的には、表示データに基づき、Ｙ電極２２群に対し順に走査パルスを印加し、それに対応したタイミングでアドレス電極２３群に順にアドレスパルスを印加することにより、対象のセル（Ｃ）のオン／オフを選択する。サステイン期間７３では、表示電極（２１，２２）群に対しサステインパルスを印加することにより、アドレス期間７２で選択されたセル（Ｃ）のＸ電極２１とＹ電極２２の間で維持放電を発生させて発光させる。各ＳＦ６０は、重み付けとして、サステインパルス数（維持放電回数）、換言すれば、サステイン期間７３の長さが異なる。
【００２６】
＜表示データ処理部＞
図４において、表示データ処理部６の内部ブロック構成を示している。表示データ処理部６は、画像処理部１０１、書き込み制御部１０２、１フレーム記憶部（Ａ）１０３、１フレーム記憶部（Ｂ）１０４、読み出し制御部１０５、誤差拡散処理部１０６、及びＳＦデータ変換部１０７を有する。Ｄｉｎは、入力信号（画像フレームデータ）、Ｄｏｕｔは、出力信号（画像フレームデータ）である。
【００２７】
画像処理部１０１は、入力の表示データ（Ｄｉｎ）における、例えば１０ビット（１０２４階調）の画素データによる画像フレームを順に入力し、それをもとに、ガンマ変換処理等の画像処理を行い、本ＰＤＰ装置１（ＳＦ変換処理）で扱う階調（ステップ）数に合わせて、例えば１６ビットの画素データによる画像フレームの表示データ（ｄ１）を生成する。この処理では、小数点以下の情報も保持する。
【００２８】
書き込み制御部１０２は、画像処理部１０１が出力した表示データ（ｄ１）を、図５に示すような制御タイミングに従って、１フレーム記憶部（Ａ）１０３と１フレーム記憶部（Ｂ）１０４へ、画像フレーム毎に表示データの書き込む先を切り替えて書き込む制御を行う。
【００２９】
１フレーム記憶部（Ａ）１０３と１フレーム記憶部（Ｂ）１０４は、１画像フレーム分の表示データを記憶するメモリ部であり、例えばＳＤＲＡＭやＤＤＲ−ＳＤＲＡＭ等である。本ＰＤＰ装置１は、このように最低２つのフレーム分の保持が可能なメモリを備える。
【００３０】
＜フレーム書き込み＞
図５において、例として連続する４フレーム（ｆｎ〜ｆｎ＋３）の書き込み制御を示している。ｆはフレームを表し、Ａ，Ｂは１フレーム記憶部（１０３，１０４）を表している。１つの書き込み制御周期では、まず第１のフレームｆｎを一方の１フレーム記憶部（Ａ）１０３へ書き込んで格納し、次の第２のフレームｆｎ＋１を他方の１フレーム記憶部（Ｂ）１０４へ書き込んで格納する。
【００３１】
読み出し制御部１０５では、１フレーム記憶部（Ａ）１０３と１フレーム記憶部（Ｂ）１０４に格納されているフレーム分の表示データを、図６に示すような制御タイミングに従って、フレーム毎に表示データの読み出し元を切り替えて読み出す制御を行う。
【００３２】
＜フレーム読み出し＞
図６において、同様に、連続する４フレーム（ｆｎ〜ｆｎ＋３）の読み出し制御を示している。１つの読み出し制御周期では、まず第１のフレームｆｎを一方の１フレーム記憶部（Ｂ）１０４から読み出し、次の第２のフレームｆｎ＋１を他方の１フレーム記憶部（Ａ）１０３から読み出し、次の第３のフレームｆｎ＋２を一方の１フレーム記憶部（Ｂ）１０４から読み出し、次の第４のフレームｆｎ＋３を他方の１フレーム記憶部（Ａ）１０３から読み出す。
【００３３】
上記構成によって、１フレーム記憶部（Ａ）１０３に対して書き込み制御部１０２が書き込み制御を行っているフレーム（例えば奇数番目のフレーム）では、１フレーム記憶部（Ｂ）１０４から読み出し制御部１０５が読み出し制御を行っており、それらの次のフレーム（例えば偶数番目のフレーム）では、１フレーム記憶部（Ａ）１０３と１フレーム記憶部（Ｂ）１０４に対して、書き込みと読み出しが逆転する構成となっている。
【００３４】
上記制御の際、読み出し制御部１０５による読み出し制御では、図７に示すように、画像フレーム毎に、表示データ（画像フレーム内）の読み出し開始位置及び順序を切り替える。
【００３５】
＜読み出し制御＞
図７において、実施の形態１（第１の構成）における、上記フレーム毎の読み出し（換言すれば誤差拡散処理入力）の開始位置及びその開始位置以後の読み出し順序（方向）との切り替えの様子を、ＰＤＰ４画面側から見た場合を示している。Ｓ１で示す丸点は、画像フレーム内の読み出し開始位置を示している。読み出し制御部１０５（及び対応して誤差拡散処理部１０６）は、以下の４種類の状態（モード）を順に循環的に切り替え制御する。
【００３６】
第１のフレームｆｎにおいて、最も左上の位置の画素の表示データから読み出し開始し、水平ライン（行）方向で右方向へ順に読み出し、その右端まで読み出したら、次の１つ下のラインへ移り（ライン順次走査）、同様にライン単位で下方向へ順に読み出し、最下段のラインの右端まで読み出す。次の第２のフレームｆｎ＋１において、今度は、第１のフレームｆｎとは開始位置及び方向が逆になるように、最も右下の位置の画素の表示データから読み出し開始し、同様にライン順次走査で、最も左上の位置まで読み出す。次の第３のフレームｆｎ＋２において、第１及び第２のフレームｆｎ，ｆｎ＋１とは開始位置及び方向が異なるように、最も右上の位置の画素の表示データから読み出し開始し、同様にライン順次走査で、最も右下の位置まで読み出す。次の第４のフレームｆｎ＋３において、第１〜第３のフレームｆｎ〜ｆｎ＋２とは開始位置及び方向が異なるように、最も左下の位置の画素の表示データから読み出し開始し、同様にライン順次走査で、最も右上の位置まで読み出す。次に第１のフレームｆｎに戻って同様に循環的な繰り返しである。なお従来技術では、第１のフレームｆｎ相当の１種類の状態のみの固定的な制御である。
【００３７】
読み出し制御部１０５により１フレーム記憶部（Ａ）１０３または１フレーム記憶部（Ｂ）１０４から読み出された表示データ（ｄ２）は、誤差拡散処理部１０６に入力され、誤差拡散処理部１０６で所定の誤差拡散処理が行われる。その際、連続するフレーム群において前述のようにフレーム毎に表示データの先頭データ（開始位置）と読み出し順序（方向）が切り替わっているので、図８に示すように、誤差拡散処理による表示データの誤差拡散処理の開始位置及び順序（方向）も切り換わる。
【００３８】
＜誤差拡散処理制御＞
図８において、実施の形態１（第１の構成）における、上記フレーム毎の誤差拡散処理の開始位置とその開始位置以後の誤差拡散処理順序（方向）との切り替えの様子を、ＰＤＰ４画面側から見た場合を示している。Ｓ２で示す丸点は、フレーム内の誤差拡散処理の開始位置を示している。誤差拡散処理部１０６は、以下の４種類の状態（モード）を順に循環的に制御する。
【００３９】
第１のフレームｆｎにおいて、左上の位置の画素（注目画素）の表示データから誤差拡散処理を開始する。注目画素の誤差拡散処理において、ａで示す各方向の隣接画素へ、誤差拡散する。複数の画素の誤差拡散処理の処理順序（方向）は、図７同様である。大きな処理の流れとしては、ｂで示す方向（誤差拡散伝達方向）に、誤差拡散の伝達が行われる。以降同様に、第２のフレームｆｎ＋１、第３フレームｆｎ＋２、第４フレームｆｎ＋３において、誤差拡散処理の開始位置（Ｓ２）と方向（ａ，ｂ）を切り替えて処理し、第１のフレームｆｎに戻って同様の循環的な繰り返しである。
【００４０】
＜誤差拡散方向＞
図９において、上記図８に対応したフレーム毎（ｆｎ〜ｆｎ＋３）の誤差拡散処理による、注目画素（黒丸点）から隣接画素（白丸点）への誤差拡散の方向（ａ１〜ａ４）と量（括弧内）とを表している。第１のフレームｆｎにおいて、注目画素（Ｐ（ｘ，ｙ））に対し、右方向（ａ１）の隣接画素（Ｐ（ｘ＋１，ｙ））へ７／１６の量を拡散し、右下方向（ａ２）の隣接画素（Ｐ（ｘ＋１，ｙ＋１））へ１／１６の量を拡散し、下方向（ａ３）の隣接画素（Ｐ（ｘ，ｙ＋１））へ５／１６の量を拡散し、左下方向（ａ４）の隣接画素（Ｐ（ｘ−１，ｙ＋１））へ３／１６の量を拡散する。以降同様に、第２のフレームｆｎ＋１、第３のフレームｆｎ＋２、第４のフレームｆｎ＋３において、誤差拡散処理の方向（ａ１〜ａ４）及び量を第１のフレームｆｎの場合に対してそのまま回転／反転した形で処理し、第１のフレームｆｎに戻って同様の繰り返しである。
【００４１】
＜ＳＦ変換＞
前記図４において、誤差拡散処理部１０６から出力された表示データ（ｄ３）は、ＳＦデータ変換部１０７に入力される。ＳＦデータ変換部１０７では、入力データ（ｄ３）を、ＳＦ変換表（ＳＦ点灯パターン表）に従い、ＳＦ変換処理（オン／オフ符号化）し、表示データ（フィールド及びＳＦデータ）Ｄｏｕｔとして生成及び出力する。ＳＦ変換表は、フィールドの各ＳＦのオン／オフ状態の選択により得られるステップの対応関係を規定している。ステップは、階調と対応付けられる。ステップで直接表現できない階調については、誤差拡散処理等により表現される。
【００４２】
＜誤差拡散処理回路＞
図１０において、誤差拡散処理部１０６に対応する誤差拡散処理回路１０の構成例を示している。また、図１１は、図１０の誤差拡散処理回路１０に対応する誤差拡散処理の内容を示している。これは、図９等の第１のフレームｆｎの状態の処理とも対応している。図１１において、対象画素（ＰＡ）に対する、各方向（ａ１〜ａ４）の隣接画素を、ＰＢ，ＰＣ，ＰＤ，ＰＥとする。誤差拡散処理部１０６は、入力信号の小数を、空間的に即ちフレーム内の隣接画素間で表現する誤差拡散処理を行い、ＳＦデータ変換部１０７の変換数に合わせた信号（ｄ３）を出力する。
【００４３】
図１０において、誤差拡散処理回路１０は、分離部４０１、加算部４０２、１Ｌ（ライン）遅延部４０３、ＦＦ（フリップフロップ）４０４〜４０６、乗算部４０７〜４１０、加算部４１１を有する。各部は対応する回路で構成される。
【００４４】
分離部４０１は、入力される対象画素（ＰＡ）のディジタル画素データ（ＰＤｉｎ）を、上位ビット画素データ（ＡＢ）と下位ビット画素データ（Ｅａ）とに分離する。画素データ（ＰＤｉｎ）は、ｐビットであり、上位ビット画素データ（ＡＢ）は、ｍビットであり、下位ビット画素データ（Ｅａ）は、ｎビットであり、ｐ＝ｍ＋ｎの関係である。例えばｐ＝１６で、ｍ，ｎ＝８である。
【００４５】
下位ビット画素データ（Ｅａ）は、対象画素（ＰＡ）の誤差データである。伝達誤差データ（Ｅｂ，Ｅｃ，Ｅｄ，Ｅｅ）は、隣接画素（ＰＢ，ＰＣ，ＰＤ，ＰＥ）から対象画素（ＰＡ）に伝達される誤差データである。
【００４６】
１Ｌ遅延部４０３は、以前の伝達誤差データ（Ｅｆ）を、１ライン分遅延させて、隣接画素（ＰＣ）の伝達誤差データ（Ｅｃ）を出力する。即ち、１Ｌ遅延部４０３は、過去の１ライン分の伝達誤差データ（Ｅｆ）を記憶している。ＦＦ４０４は、伝達誤差データ（Ｅｃ）を１画素分遅延させて、隣接画素（ＰＤ）の伝達誤差データ（Ｅｄ）を出力する。ＦＦ４０５は、伝達誤差データ（Ｅｄ）を１画素分遅延させて、隣接画素（ＰＥ）の伝達誤差データ（Ｅｅ）を出力する。ＦＦ４０６は、以前の伝達誤差データ（Ｅｆ）を１画素分遅延させて、隣接画素（ＰＢ）の伝達誤差データ（Ｅｂ）を出力する。
【００４７】
乗算部４０７は、１Ｌ遅延部４０３の出力データ（Ｅｃ）に、隣接画素重み付け係数として例えば３／１６を乗算して、重み付け伝達誤差データを出力する。同様に、乗算部４０８は、ＦＦ４０４の出力データ（Ｅｄ）に、例えば５／１６を乗算して出力する。乗算部４０９は、ＦＦ４０５の出力データ（Ｅｅ）に、例えば１／１６を乗算して出力する。乗算部４１０は、ＦＦ４０６の出力データ（Ｅｂ）に、例えば７／１６を乗算して出力する。
【００４８】
加算部４１１は、誤差データＥａ及び乗算部（４０７〜４１０）の出力データ（重み付け伝達誤差データ）を入力して加算し、加算値（Ｅｆ）及び桁上がり値（ＣＯ）を、出力する。加算値（Ｅｆ）は、対象画素（ＰＡ）の伝達誤差データとなり、他の画素の誤差拡散処理に用いられる。６つの誤差拡散データ（Ｅａ〜Ｅｆ）は、すべてｎビットである。桁上がり値（ＣＯ）は、１ビットであり、桁上がりが有れば１、無ければ０になる。
【００４９】
加算部４０２は、対象画素（ＰＡ）の上位ビット画素データ（ＡＢ）と桁上がり値（ＣＯ）を加算し、対象画素（ＰＡ）の出力画素データ（ＰＤｏｕｔ）を出力する。出力画素データ（ＰＤｏｕｔ）は、ｍビットであり、上位ビット画素データ（ＡＢ）と同じ値、または、それに１を加算した値になる。
【００５０】
＜効果＞
以上の構成によって、表示データ処理部６から駆動回路部３を通じたＰＤＰ４への出力の映像では、図７等に示したような４種類のフレームの状態が、フレーム毎に順次切り替えて循環的に表示されるので、視者（ユーザ）には、それら４種類のフレームが合成されて見える。そのため、仮に、入力の表示データ（Ｄｉｎ）が広範囲領域で同一階調（ｎ）の表示データであって、例えば図１６に示すような規則性を有する繰り返しパターン（固定模様）等が従来出力表示されるものであった場合でも、表示画面では、図１２に示すような４種類のフレームの状態が合成されて見えるので、上記従来のパターン（固定模様）等が発生しているようにはユーザに視認されない。換言すれば、上記繰り返しパターン等の領域と、そうでない領域とが合成され、相殺効果が得られるので、従来の表示品質劣化の程度が大きく低減される。
【００５１】
＜他の構成例（１）＞
前述した一実施の形態の構成（第１の構成）に対する各種変形の構成例を以下説明する。まず、前記図７等に示したように、フレーム毎の読み出し開始位置（Ｓ１）及び順序には、代表的な４つの状態が存在する。勿論、詳細にはこれら４つの状態に限らず各種状態が可能である。これらの４つの状態の切り替えの順序（フレーム切り替え順序）は、第１のフレームｆｎの状態を基点とした場合、すべての組み合わせでは６通り存在する。他の構成例における切り替え制御として、これら６通りのうちいずれの組み合わせのフレーム切り替え順序の構成としてもよい。例えば、Ｓ１が、左上、左下、右上、右下の順になる構成などである。いずれの順序としても、第１の構成と同様の効果が得られる。
【００５２】
＜他の構成例（２）＞
図１３において、他の構成例（第２の構成）を示している。前述した第１の構成では、第４のフレームｆｎ＋３の次に第１のフレームｆｎの状態の制御に戻る、４フレーム循環制御であった。一方、第２の構成では、前記図７の第１から第３のフレームまでは同様であり、第３のフレームｆｎ＋２の後に、第４のフレームｆｎ＋３を設けずに、第１のフレームｆｎの制御に戻る、ｆｎ〜ｆｎ＋２の３フレーム循環制御を行うものである。
【００５３】
＜他の構成例（３）＞
図１４において、他の構成例（第３の構成）を同様に示している。図１４に示すように、第３の構成では、第１のフレームｆｎと第２のフレームｆｎ＋１との交互による、２フレーム循環制御を行うものである。このように、循環の単位となるフレーム・状態の数が異なる構成としても、第１の構成と同様の効果が得られる。また、循環の単位となるフレーム・状態に対し適用する前記開始位置（Ｓ１，Ｓ２）及び順序、並びにフレーム切り替え順序などについても、複数の状態及びその組み合わせのいずれとしても構わない。
【００５４】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【００５５】
本発明は、ＰＤＰ装置などの多階調表示装置に利用可能である。
【図面の簡単な説明】
【００５６】
【図１】本発明の一実施の形態におけるＰＤＰ装置の全体のブロック構成を示す図である。
【図２】本発明の一実施の形態のＰＤＰ装置において、ＰＤＰの構造例を示す図である。
【図３】本発明の一実施の形態のＰＤＰ装置において、フィールド構成を示す図である。
【図４】本発明の一実施の形態におけるＰＤＰ装置において、表示データ処理部のブロック構成を示す図である。
【図５】本発明の一実施の形態のＰＤＰ装置において、書き込み制御部が１フレーム記憶部（Ａ），（Ｂ）に対して行う書き込み制御のタイミングを示す図である。
【図６】本発明の一実施の形態のＰＤＰ装置において、読み出し制御部が１フレーム記憶部（Ａ），（Ｂ）に対して行う読み出し制御のタイミングを示す図である。
【図７】本発明の一実施の形態のＰＤＰ装置において、表示データの読み出しの開始位置及び順序についてのフレーム毎の切り替え制御（第１の構成）を示す図である。
【図８】本発明の一実施の形態のＰＤＰ装置において、誤差拡散処理の開始位置と誤差拡散方向についてのフレーム毎の切り替え制御（第１の構成）を示す図である。
【図９】本発明の一実施の形態のＰＤＰ装置において、誤差拡散処理による注目画素から隣接画素への誤差拡散方向及び量についてのフレーム毎の切り替え制御（第１の構成）の様子を示す図である。
【図１０】本発明の一実施の形態のＰＤＰ装置において、誤差拡散処理部の回路構成例を示す図である。
【図１１】本発明の一実施の形態のＰＤＰ装置において、誤差拡散処理部の回路構成例における処理内容を示す図である。
【図１２】本発明の一実施の形態のＰＤＰ装置において、ＰＤＰへの表示出力の一例として、誤差拡散処理による規則性を有する繰り返しパターン（固定模様）の領域を含むフレームについて、フレーム毎の切り替えにより変化する様子を示す図である。
【図１３】本発明の一実施の形態のＰＤＰ装置において、他の構成例（第２の構成）として、表示データの読み出しの開始位置及び順序についてのフレーム毎の切り替え制御を示す図である。
【図１４】本発明の一実施の形態のＰＤＰ装置において、他の構成例（第３の構成）として、表示データの読み出しの開始位置及び順序についてのフレーム毎の切り替え制御を示す図である。
【図１５】従来技術において、ＰＤＰへの表示出力のフレームにおいて誤差拡散処理による規則性を有する繰り返しパターンの領域が発生した第１の例を示す図である。
【図１６】従来技術において、ＰＤＰへの表示出力のフレームにおいて誤差拡散処理による規則性を有する繰り返しパターンの領域が発生した第２の例を示す図である。
【符号の説明】
【００５７】
１…ＰＤＰ装置、２…制御回路部、３…駆動回路部、３−１…Ｘドライバ、３−２…Ｙドライバ、３−３…アドレスドライバ、４…ＰＤＰ、５…タイミング生成部、６…表示データ処理部、１０…誤差拡散処理回路、１１…前面基板、１２…背面基板、１３，１６…誘電体層、１４…保護層、１７…隔壁、１８…蛍光体、２１…Ｘ電極、２２…Ｙ電極、２３…アドレス電極、５０…フィールド、６０…サブフィールド、７１…リセット期間、７２…アドレス期間、７３…サステイン期間、１０１…画像処理部、１０２…書き込み制御部、１０３…１フレーム記憶部（Ａ）、１０４…１フレーム記憶部（Ｂ）、１０５…読み出し制御部、１０６…誤差拡散処理部、１０７…ＳＦデータ変換部、２０１…前面部、２０２…背面部、４０１…分離部、４０２…加算部、４０３…１Ｌ遅延部、４０４〜４０６…ＦＦ、４０７〜４１０…乗算部、４１１…加算部、８００…補正部、８０３〜８０６…ゼロ検出部、８１３〜８１６…選択部、８２１…演算部、８２２…選択信号生成部。
【図１】
2008175843.tif 000003
【図２】
2008175843.tif 000004
【図３】
2008175843.tif 000005
【図４】
2008175843.tif 000006
【図５】
2008175843.tif 000007
【図６】
2008175843.tif 000008
【図７】
2008175843.tif 000009
【図８】
2008175843.tif 000010
【図９】
2008175843.tif 000011
【図１０】
2008175843.tif 000012
【図１１】
2008175843.tif 000013
【図１３】
2008175843.tif 000014
【図１４】
2008175843.tif 000015
【図１５】
2008175843.tif 000016
【図１６】
2008175843.tif 000017
【図１２】
2008175843.tif 000018